(57)【要約】【課題】ブラスト作業時に、ブラストノズルを把持するオペレータの腕の作動の自由度を向上させると共に、腕を所望姿勢にさせることができるようにして、ブラスト作業の作業性を向上させるようにすることである。【解決手段】サンドブラスト装置１は、ワーク１８およびこのワーク１８に対し粒状研磨材２０を噴射するブラストノズル２１を、その内部に収容可能とするケーシング３と、ケーシング３の内部をその外部からオペレータ２５により視認可能とさせる視認窓２６と、ケーシング３に形成され、このケーシング３の外部からオペレータ２５がブラストノズル２１を把持できるようこのオペレータ２５の腕２５ａをケーシング３の内部に向けて挿通可能とさせる腕挿通孔２８とを備える。ケーシング３に開口３２を形成する。この開口３２を閉じると共に、ケーシング３に対し相対移動Ａ可能な蓋体３５を設け、この蓋体３５に腕挿通孔２８を形成する。【選択図】図１
2008142872.tif 000002
【特許請求の範囲】
【請求項１】
ワークおよびこのワークに対し粒状研磨材を噴射するブラストノズルを、その内部に収容可能とするケーシングと、このケーシングの内部をその外部からオペレータにより視認可能とさせる視認窓と、上記ケーシングに形成され、このケーシングの外部からオペレータが上記ブラストノズルを把持できるようこのオペレータの腕をケーシングの内部に向けて挿通可能とさせる腕挿通孔とを備えたサンドブラスト装置において、
上記ケーシングに開口を形成し、この開口を閉じると共に、上記ケーシングに対し相対移動可能な蓋体を設け、この蓋体に上記腕挿通孔を形成したことを特徴とするサンドブラスト装置。
【請求項２】
上記蓋体が、上記腕挿通孔を形成して上記ケーシングに対し相対移動可能とされる蓋体本体と、この蓋体本体の外縁部と上記開口の開口縁部との間の空間を覆い、上記ケーシングに対する蓋体本体の相対移動に伴い変形可能な被覆体とを備えたことを特徴とする請求項１に記載のサンドブラスト装置。
【請求項３】
上記ケーシングを構成する縦向きの正面板に上記開口を形成し、上記蓋体本体が上下に相対移動可能となるようこの蓋体本体の左右各外縁部を上記開口の左右各開口縁部に係合させ、上記被覆体を側面視で縦方向にジグザグ状に延びる蛇腹構造としたことを特徴とする請求項２に記載のサンドブラスト装置。
【請求項４】
上記蓋体の相対移動後に、この蓋体を上記ケーシングに対する所望位置に固定可能とする固定装置を設けたことを特徴とする請求項１から３のうちいずれか１つに記載のサンドブラスト装置。
【請求項５】
上記蓋体本体を短尺のパイプ材で構成し、その内孔を上記腕挿通孔としたことを特徴とする請求項２に記載のサンドブラスト装置。
【発明の詳細な説明】
【技術分野】
【０００１】
本発明は、ブラスト作業用の作業空間を、その内部に有するケーシングが設けられ、このケーシングの内部に向けて、その外部からオペレータの腕を挿通可能とさせる腕挿通孔が上記ケーシングに形成されたサンドブラスト装置に関するものである。
【背景技術】
【０００２】
上記サンドブラスト装置には、従来、下記特許文献１に示されるものがある。この公報のものによれば、ワークおよびこのワークに対し粒状研磨材（砥粒）を噴射するブラストノズルを、その内部に収容可能とするケーシングと、このケーシングの内部をその外部からオペレータにより視認可能とさせる視認窓と、上記ケーシングに形成され、このケーシングの外部からオペレータが上記ブラストノズルを把持できるようこのオペレータの腕をケーシングの内部に向けて挿通可能とさせる腕挿通孔とを備えている。
【０００３】
上記サンドブラスト装置により、ブラスト作業をする場合には、まず、上記ケーシングの内部にワークを収容し、このワークを所定姿勢に保持させる。次に、オペレータが上記ケーシングの外部から、その腕を上記腕挿通孔に挿通させて上記ケーシングの内部に挿入する。そして、上記ブラストノズルを把持して、このブラストノズルにより上記ワークの表面に対し圧縮空気と共に粒状研磨材を噴射させる。これにより、上記ワークの表面が研磨され、つまり、ブラスト作業が行われる。
【特許文献１】特開２００３−２５２２６号公報
【発明の開示】
【発明が解決しようとする課題】
【０００４】
ところで、上記ブラスト作業時には、上記ワークの表面に所望の研磨状態を得ようとして、上記ワークに対するブラストノズルの位置や角度など上記ワークに対するブラストノズルの状態を変化させたい場合がある。そして、この場合には、オペレータが、上記ブラストノズルを把持している腕を自由に作動させることにより、上記ブラストノズルの状態を変化させることが考えられる。
【０００５】
しかし、オペレータの腕は、上記のように、ケーシングの所定位置に形成された腕挿通孔に挿通されている。このため、腕を自由に作動させようとしても、これは、上記腕挿通孔により規制される。よって、上記ワークに対するブラストノズルの状態を変化させることは煩雑であり、これにより、ブラスト作業の作業性が阻害されるおそれがある。
【０００６】
また、オペレータは、上記ブラストノズルを把持した腕の位置などの姿勢を、このオペレータの体格に合致するよう所望姿勢にさせたい場合がある。しかし、オペレータの腕は、上記したように、ケーシングの所定位置に形成された腕挿通孔に挿通されている。このため、オペレータは、その腕を所望姿勢にさせることは困難であり、これによっても、ブラスト作業の作業性が阻害されるおそれがある。
【課題を解決するための手段】
【０００７】
本発明は、上記のような事情に注目してなされたもので、本発明の目的は、ブラスト作業時に、ブラストノズルを把持するオペレータの腕の作動の自由度を向上させると共に、腕を所望姿勢にさせることができるようにして、ブラスト作業の作業性を向上させるようにすることである。
【０００８】
請求項１の発明は、ワーク１８およびこのワーク１８に対し粒状研磨材２０を噴射するブラストノズル２１を、その内部に収容可能とするケーシング３と、このケーシング３の内部をその外部からオペレータ２５により視認可能とさせる視
認窓２６と、上記ケーシング３に形成され、このケーシング３の外部からオペレータ２５が上記ブラストノズル２１を把持できるようこのオペレータ２５の腕２５ａをケーシング３の内部に向けて挿通可能とさせる腕挿通孔２８とを備えたサンドブラスト装置において、
上記ケーシング３に開口３２を形成し、この開口３２を閉じると共に、上記ケーシング３に対し相対移動Ａ可能な蓋体３５を設け、この蓋体３５に上記腕挿通孔２８を形成したものである。
【０００９】
請求項２の発明は、請求項１の発明に加えて、上記蓋体３５が、上記腕挿通孔２８を形成して上記ケーシング３に対し相対移動Ａ可能とされる蓋体本体３６と、この蓋体本体３６の外縁部と上記開口３２の開口縁部３７との間の空間３８を覆い、上記ケーシング３に対する蓋体本体３６の相対移動Ａに伴い変形可能な被覆体３９とを備えたものである。
【００１０】
請求項３の発明は、請求項２の発明に加えて、上記ケーシング３を構成する縦向きの正面板９に上記開口３２を形成し、上記蓋体本体３６が上下に相対移動Ａ可能となるようこの蓋体本体３６の左右各外縁部を上記開口３２の左右各開口縁部３７に係合させ、上記被覆体３９を側面視（図３）で縦方向にジグザグ状に延びる蛇腹構造としたものである。
【００１１】
請求項４の発明は、請求項１から３のうちいずれか１つの発明に加えて、上記蓋体３５の相対移動Ａ後に、この蓋体３５を上記ケーシング３に対する所望位置に固定可能とする固定装置４７を設けたものである。
【００１２】
請求項５の発明は、請求項２の発明に加えて、上記蓋体本体３６を短尺のパイプ材４２で構成し、その内孔を上記腕挿通孔２８としたものである。
【００１３】
なお、この項において、上記各用語に付記した符号は、本発明の技術的範囲を後述の「実施例」の項や図面の内容に限定解釈するものではない。
【発明の効果】
【００１４】
本発明による効果は、次の如くである。
【００１５】
請求項１の発明は、ワークおよびこのワークに対し粒状研磨材を噴射するブラストノズルを、その内部に収容可能とするケーシングと、このケーシングの内部をその外部からオペレータにより視認可能とさせる視認窓と、上記ケーシングに形成され、このケーシングの外部からオペレータが上記ブラストノズルを把持できるようこのオペレータの腕をケーシングの内部に向けて挿通可能とさせる腕挿通孔とを備えたサンドブラスト装置において、
上記ケーシングに開口を形成し、この開口を閉じると共に、上記ケーシングに対し相対移動可能な蓋体を設け、この蓋体に上記腕挿通孔を形成している。
【００１６】
ここで、ブラスト作業時には、オペレータはその腕を上記腕挿通孔に挿通させることによりケーシングの内部に挿入してブラストノズルを把持し、上記ブラスト作業を行う。この場合、上記したように腕挿通孔を形成した蓋体は、上記ケーシングに対し相対移動可能である。
【００１７】
このため、上記したブラストノズルを把持するオペレータの腕は、上記蓋体と共にケーシングに対し相対移動可能とされる。よって、ブラストノズルを把持するオペレータの腕の作動の自由度が向上すると共に、腕を所望姿勢にさせることができる。この結果、ブラスト作業の作業性を向上させることができる。
【００１８】
請求項２の発明は、上記蓋体が、上記腕挿通孔を形成して上記ケーシングに対し相対移動可能とされる蓋体本体と、この蓋体本体の外縁部と上記開口の開口縁部との間の空間を覆い、上記ケーシングに対する蓋体本体の相対移動に伴い変形可能な被覆体とを備えている。
【００１９】
このため、上記蓋体の相対移動に伴い上記開口の一部を通してケーシングの内外が連通する、ということは、上記被覆体により防止される。よって、上記ケーシングの内部の研磨材が外部に飛散するなど不都合の発生が防止される。
【００２０】
請求項３の発明は、上記ケーシングを構成する縦向きの正面板に上記開口を形成し、上記蓋体本体が上下に相対移動可能となるようこの蓋体本体の左右各外縁部を上記開口の左右各開口縁部に係合させ、上記被覆体を側面視で縦方向にジグザグ状に延びる蛇腹構造としている。
【００２１】
このため、上記被覆体が構造簡単な蛇腹形状とされた分、サンドブラスト装置の構成を簡単にできる。
【００２２】
また、上記したように被覆体は側面視で縦方向にジグザグ状に延びているため、ケーシングの内部側の被覆体の内面に研磨材が降り積もる、ということは防止される。よって、上記ケーシングの内部の保守、点検作業が容易にできる。また、上記蓋体の内面に研磨材が積層した場合には、上記蓋体の円滑な相対移動が阻害されるおそれ生じるが、これは未然に防止される。
【００２３】
請求項４の発明は、上記蓋体の相対移動後に、この蓋体を上記ケーシングに対する所望位置に固定可能とする固定装置を設けている。
【００２４】
このため、上記固定装置により、蓋体をケーシングに対し所望位置に固定させれば、上記腕挿通孔に挿通させたオペレータの腕に上記蓋体の負荷が与えられることは防止される。よって、この点でも、上記ブラスト作業の作業性が向上する。
【００２５】
また、上記とは逆に、ケーシングに固定させた蓋体に対し上記腕の自重を担時させることができる。よって、上記ブラスト作業を軽快にすることができて、その作業性がより向上する。
【００２６】
請求項５の発明は、上記蓋体本体を短尺のパイプ材で構成し、その内孔を上記腕挿通孔としている。
【００２７】
このため、上記腕挿通孔に挿通させた腕と、上記腕挿通孔の開口縁部であるパイプ材の内周面との互いの接触面積が大きくなる。これにより、上記腕に対する蓋体側からの面圧を小さくできる。よって、上記ブラスト作業を軽快にすることができて、その作業性が更に向上する。
【発明を実施するための最良の形態】
【００２８】
本発明のサンドブラスト装置に関し、ブラスト作業時に、ブラストノズルを把持するオペレータの腕の作動の自由度を向上させると共に、腕を所望姿勢にさせることができるようにして、ブラスト作業の作業性を向上させるようにする、という目的を実現するため、本発明を実施するための最良の形態は、次の如くである。
【００２９】
即ち、サンドブラスト装置は、ワークおよびこのワークに対し粒状研磨材を噴射するブラストノズルを、その内部に収容可能とするケーシングと、このケーシングの内部をその外部からオペレータにより視認可能とさせる視認窓と、上記ケーシングに形成され、このケーシングの外部からオペレータが上記ブラストノズルを把持できるようこのオペレータの腕をケーシングの内部に向けて挿通可能とさせる腕挿通孔とを備える。上記ケーシングに開口が形成されている。この開口を閉じると共に、上記ケーシングに対し相対移動可能な蓋体が設けられ、この蓋体に上記腕挿通孔が形成されている。
【実施例１】
【００３０】
本発明をより詳細に説明するために、その実施例１を添付の図１−４に従って説明する。
【００３１】
図中符号１はサンドブラスト装置である。このサンドブラスト装置１は、サンドブラスト作業用の作業空間２を、その内部に有する直方体形状の板金製ケーシング３と、このケーシング３の下面に連設される倒立角錐形状のホッパー４と、これらケーシング３およびホッパー４を作業面５上に支持する架台６とを備えている。上記ホッパー４には、上記ブラスト作業に用いられた後の粒状研磨材（主にサンド砥流）が収容される。
【００３２】
上記ケーシング３は、その縦向きの正面板９にドア開口１０が形成され、このドア開口１０を開閉可能に閉じるドア１１が設けられている。このドア１１は左右外縁部のうち、一方（右方）の外縁部が上記ケーシング３の側部にヒンジ１２により枢支されている。そして、このヒンジ１２を中心として上記ドア１１の他方（左方）の外縁部側が前後に回動し、上記ドア開口１０が開閉されるようになっている。また、このドア開口１０を閉じたドア１１を、ケーシング３に係脱可能に係止させる係合具１３が設けられている。
【００３３】
上記ケーシング３の左右側板１５，１６には、それぞれ縦方向に長いスリット１７が形成されている。上記両側板１５，１６のスリット１７のうち、一方（左方）の側板１５のスリット１７を通し、上記ケーシング３の内部（作業空間２）に、ガラス板であるワーク１８が挿入可能とされている。そして、この挿入により、このワーク１８は、上記ケーシング３の内部に収容可能とされている。また、他方（右方）の側板１６の不図示のスリットを通し、上記ケーシング３の内部のワーク１８が外部に取り出し可能とされている。
【００３４】
上記ケーシング３の内部に収容され、一定姿勢に保持されたワーク１８の表面に対し圧縮空気１９と共に粒状研磨材２０を噴射可能とするガンタイプのブラストノズル２１が設けられている。また、このブラストノズル２１の入口部にチューブ２２を通し上記圧縮空気１９と共にホッパー４内の研磨材２０を供給するエアコンプレッサ２３が設けられている。
【００３５】
上記ケーシング３の正面板９の左右方向の中央部には、上記ケーシング３の内部をその外部からオペレータ２５により視認可能とさせる縦長の視認窓２６が設けられている。また、上記ケーシング３の正面板９には、上記視認窓２６を左右から挟むように左右一対の腕挿通孔２８が形成されている。これら各腕挿通孔２８は、上記ケーシング３の外部からオペレータ２５が上記ブラストノズル２１を把持し、かつ、操作できるよう、このオペレータ２５の腕２５ａをケーシング３の内部に向けて挿通可能とさせるものである。
【００３６】
上記各腕挿通孔２８からケーシング３の内部に向かって延出するゴム製の手袋３０が設けられている。上記腕２５ａが上記腕挿通孔２８に挿通されたとき、オペレータ２５の手が上記手袋３０に自動的に嵌入されて、装着されるようになっている。
【００３７】
上記ケーシング３の正面板９には、上記視認窓２６を左右から挟むように左右一対の縦長で長方形状の開口３２が形成されている。この開口３２の左右各開口縁部には、互いに対向し、かつ、互いに平行に延びる一対のガイド溝３３が形成されている。
【００３８】
上記開口３２の一部分を閉じると共に、上記ケーシング３に対し上下方向で相対移動Ａ可能な蓋体３５が設けられている。この蓋体３５は、上記腕挿通孔２８を形成し、上記ケーシング３に対し相対移動Ａ可能とされて剛性を有する蓋体本体３６と、この蓋体本体３６の外縁部と上記開口３２の開口縁部３７との間の空間３８を覆う被覆体３９とを備えている。
【００３９】
上記蓋体本体３６は、上下に相対移動Ａ可能となるよう左右各外縁部が上記開口３２の左右各ガイド溝３３に係合（嵌入）された正面視矩形状の板金製基板４１と、この基板４１の中央部を貫通してこの基板４１に固着される短尺の金属製円形パイプ材４２とを備え、このパイプ材４２の内孔が上記腕挿通孔２８とされている。
【００４０】
上記蓋体本体３６は、上記開口３２の長手方向（上下方向）の中途部に設けられている。このため、上記空間３８は、上記蓋体本体３６と上記開口３２の上端部の開口縁部３７との間と、上記蓋体本体３６と上記開口３２の下端部の開口縁部３７との間とにそれぞれ形成されている、また、上記各空間３８に対しそれぞれ被覆体３９が個別に設けられている。
【００４１】
上記被覆体３９は、側面視（図３）で、縦方向にジグザグ状に延びる蛇腹構造とされ、上下方向で伸縮変形可能とされている。上記蓋体本体３６よりも上方の空間３８に対応する上側被覆体３９の下端部は、上記蓋体本体３６の基板４１の上端部に締結具４４により締結されている。また、上記上側被覆体３９の上端部は、上記開口３２の上端部の開口縁部３７に他の締結具４５により固着されている。上記上側被覆体３９の左右各外縁部は、上記各ガイド溝３３に対し、その長手方向で摺動可能となるようそれぞれ係合（嵌入）されている。また、上記蓋体本体３６よりも下方の空間３８に対応する下側被覆体３９も、上記上側被覆体３９と同様に構成されている。
【００４２】
上記蓋体３５の相対移動Ａ後に、この蓋体３５を上記ケーシング３に対する所望位置に固定可能とする固定装置４７が設けられている。この固定装置４７は、上下方向に延びる上記開口縁部３７に等ピッチで形成される複数のボルト孔４８と、これらボルト孔４８のうちから任意に選択された一つのボルト孔４８に挿通されて、上記蓋体３５の蓋体本体３６に固着されたナット４９に螺合されるボルト５０とを備えている。
【００４３】
上記サンドブラスト装置１により、ブラスト作業をする場合には、まず、上記ケーシング３の内部にワーク１８を収容し、このワーク１８を所定姿勢に保持させる。次に、オペレータ２５が上記ケーシング３の外部から、その腕２５ａを上記腕挿通孔２８に挿通させて上記手袋３０を介しケーシング３の内部に挿入する。そして、上記ブラストノズル２１を把持して、このブラストノズル２１により上記ワーク１８の表面に対し圧縮空気１９と共に粒状研磨材２０を噴射させる。これにより、上記ワーク１８の表面が研磨され、つまり、ブラスト作業が行われる。
【００４４】
上記ブラスト作業時に、ワーク１８を研磨した後の研磨材２０は、上記ホッパー４内に戻され、再利用される。上記ブラスト作業が終了すれば、上記ドア１１への操作によりドア開口１０が開かれて、上記ケーシング３の内部の保守、点検が行われる。
【００４５】
なお、図示しないが、上記ケーシング３の内部の空気を浮遊研磨材２０と共に吸引して集塵する集塵装置が設けられている。上記ケーシング３の内部の吸引により、この内部は負圧に保たれる。このため、上記ブラスト作業時に、上記ケーシング３の内部から外部に研磨材２０が飛散することは防止される。
【００４６】
上記構成によれば、ケーシング３に開口３２を形成し、この開口３２を閉じると共に、上記ケーシング３に対し相対移動Ａ可能な蓋体３５を設け、この蓋体３５に上記腕挿通孔２８を形成している。
【００４７】
ここで、ブラスト作業時には、オペレータ２５はその腕２５ａを上記腕挿通孔２８に挿通させることによりケーシング３の内部に挿入してブラストノズル２１を把持し、上記ブラスト作業を行う。この場合、上記したように腕挿通孔２８を形成した蓋体３５は、上記ケーシング３に対し相対移動Ａ可能である。
【００４８】
このため、上記したブラストノズル２１を把持するオペレータ２５の腕２５ａは、上記蓋体３５と共にケーシング３に対し相対移動Ａ可能とされる。よって、ブラストノズル２１を把持するオペレータ２５の腕２５ａの作動の自由度が向上すると共に、腕２５ａを所望姿勢にさせることができる。この結果、ブラスト作業の作業性を向上させることができる。
【００４９】
また、前記したように、蓋体３５が、上記腕挿通孔２８を形成して上記ケーシング３に対し相対移動Ａ可能とされる蓋体本体３６と、この蓋体本体３６の外縁部と上記開口３２の開口縁部３７との間の空間３８を覆い、上記ケーシング３に対する蓋体本体３６の相対移動Ａに伴い変形可能な被覆体３９とを備えている。
【００５０】
このため、上記蓋体３５の相対移動Ａに伴い上記開口３２の一部を通してケーシング３の内外が連通する、ということは、上記被覆体３９により防止される。よって、上記ケーシング３の内部の研磨材２０が外部に飛散するなど不都合の発生が防止される。
【００５１】
また、前記したように、ケーシング３を構成する縦向きの正面板９に上記開口３２を形成し、上記蓋体本体３６が上下に相対移動Ａ可能となるようこの蓋体本体３６の左右各外縁部を上記開口３２の左右各開口縁部３７に係合させ、上記被覆体３９を側面視（図３）で縦方向にジグザグ状に延びる蛇腹構造としている。
【００５２】
このため、上記被覆体３９が構造簡単な蛇腹形状とされた分、サンドブラスト装置１の構成を簡単にできる。
【００５３】
また、上記したように被覆体３９は側面視（図３）で縦方向にジグザグ状に延びているため、ケーシング３の内部側の被覆体３９の内面に研磨材２０が降り積もる、ということは防止される。よって、上記ケーシング３の内部の保守、点検作業が容易にできる。また、上記蓋体３５の内面に研磨材２０が積層した場合には、上記蓋体３５の円滑な相対移動Ａが阻害されるおそれ生じるが、これは未然に防止される。
【００５４】
また、前記したように、蓋体３５の相対移動Ａ後に、この蓋体３５を上記ケーシング３に対する所望位置に固定可能とする固定装置４７を設けている。
【００５５】
このため、上記固定装置４７により、蓋体３５をケーシング３に対し所望位置に固定させれば、上記腕挿通孔２８に挿通させたオペレータ２５の腕２５ａに上記蓋体３５の負荷が与えられることは防止される。よって、この点でも、上記ブラスト作業の作業性が向上する。
【００５６】
また、上記とは逆に、ケーシング３に固定させた蓋体３５に対し上記腕２５ａの自重を担時させることができる。よって、上記ブラスト作業を軽快にすることができて、その作業性がより向上する。
【００５７】
また、前記したように、蓋体本体３６を短尺のパイプ材４２で構成し、その内孔を上記腕挿通孔２８としている。
【００５８】
このため、上記腕挿通孔２８に挿通させた腕２５ａと、上記腕挿通孔２８の開口縁部であるパイプ材４２の内周面との互いの接触面積が大きくなる。これにより、上記腕２５ａに対する蓋体３５側からの面圧を小さくできる。よって、上記ブラスト作業を軽快にすることができて、その作業性が更に向上する。
【００５９】
なお、以上は図示の例によるが、上記視認窓２６、開口３２、および蓋体３５は左右方向や斜めに長く延びるものであってもよい。また、上記蓋体３５を全体的に剛性板で構成し、上記正面板９の表面もしくは裏面に面接触状に摺接させてもよい。また、上記被覆体３９を弾性変形可能なゴム製シートとしてもよい。また、被覆体３９を撓み変形可能な樹脂製シートとしてもよい。また、上記被覆体３９を錐形筒形状の蛇腹構造としてもよい。また、上記開口３２と蓋体３５とをそれぞれ単一設け、この蓋体３５に左右一対の腕挿通孔２８を形成してもよい。
【００６０】
以下の図５は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００６１】
本発明をより詳細に説明するために、その実施例２を添付の図５に従って説明する。
【００６２】
図５において、前記実施例１の蓋体本体３６は、この実施例２では、次のように構成されている。
【００６３】
即ち、上記蓋体本体３６は、この蓋体本体３６の外縁部を構成して左右方向に長く延びる矩形の枠体５３と、この枠体５３の長手方向に沿ってケーシング３に対し相対移動Ｂ可能となるよう上記枠体５３に係合される他の蓋体本体５４と、上記他の蓋体本体５４の外縁部と上記枠体５３の開口縁部との間の左右一対の他の空間５５をそれぞれ覆う他の被覆体５６とを備えている。そして、上記他の蓋体本体５４に腕挿通孔２８が形成されている。
【００６４】
上記構成によれば、上記腕挿通孔２８が形成された他の蓋体本体５４は、少なくとも２次元的にあらゆる方向に相対移動Ａ，Ｂ可能となる。よって、上記ブラスト作業の作業性が更に向上する。
【図面の簡単な説明】
【００６５】
【図１】実施例１を示し、サンドブラスト装置の全体斜視図である。
【図２】実施例１を示し、左側の蓋体の正面部分破断図である。
【図３】実施例１を示し、図２で示したものの側面断面図である。
【図４】実施例１を示し、図２で示したものの平面断面図である。
【図５】実施例２を示し、図２に相当する図である。
【符号の説明】
【００６６】
１    サンドブラスト装置
２    作業空間
３    ケーシング
９    正面板
１８  ワーク
１９  圧縮空気
２０  研磨材
２１  ブラストノズル
２５  オペレータ
２５ａ  腕
２６  視認窓
２８  腕挿通孔
３２  開口
３３  ガイド溝
３５  蓋体
３６  蓋体本体
３７  開口縁部
３８  空間
３９  被覆体
４１  基板
４２  パイプ材
４７  固定装置
Ａ    相対移動
【図１】
2008142872.tif 000003
【図２】
2008142872.tif 000004
【図３】
2008142872.tif 000005
【図４】
2008142872.tif 000006
【図５】
2008142872.tif 000007